(57)【要約】【課題】センサを内蔵した無線機において、簡易に防水構造を構成することが可能な無線機を提供する。【解決手段】筐体と、筐体に形成された集音用の透孔と、筐体内に収納された集音マイクと、集音マイクに隣接して筐体内に収納されたセンサと、筐体に透孔を封鎖するように配された防水シートと、集音マイク及びセンサと防水シートとの間に位置し、空洞部が形成されたパッキングと、を備える。また、集音マイクにより音声が検出された場合又はＰＴＴが押下された場合に、気圧センサの動作を停止する又は気圧センサから送信される信号を無効とする処理を行う制御部を備える。【選択図】図３
2011114510.tif 000002
【特許請求の範囲】
【請求項１】
筐体と、
前記筐体に形成された集音用の透孔と、
前記筐体内に収納された集音マイクと、
前記集音マイクに隣接して前記筐体内に収納されたセンサと、
前記筐体に前記透孔を封鎖するように配された防水シートと、
前記集音マイク及び前記センサと前記防水シートとの間に位置し、空洞部が形成されたパッキングと、
を備えることを特徴とする無線機。
【請求項２】
前記パッキングの空洞部は、前記集音マイク及び前記センサの双方に跨って連通する空洞であることを特徴とする請求項１に記載の無線機。
【請求項３】
前記パッキングの空洞部には前記集音マイクと前記センサのそれぞれに対応し独立した空洞が形成され、
前記筐体の前記防水シート側には前記センサ側の独立した空洞に対応する位置に透孔と連通している凹部が形成されていることを特徴とする請求項１に記載の無線機。
【請求項４】
前記パッキングの空洞部には前記集音マイクと前記センサのそれぞれに対応し独立した空洞が形成され、
前記独立した空洞同士は通気孔により互いに連通されていることを特徴とする請求項１に記載の無線機。
【請求項５】
前記パッキングの空洞部には前記集音マイクと前記センサのそれぞれに対応し独立した空洞が形成され、
前記筐体には前記パッキングの各独立した空洞に対応する位置に凹部が形成され、前記凹部同士は通気孔により互いに連通されていることを特徴とする請求項１に記載の無線機。
【請求項６】
前記センサは、外気圧の変化を検出する気圧センサであることを特徴とする請求項１から５のいずれか一項に記載の無線機。
【請求項７】
前記集音マイクが前記音声を検出した場合に、前記気圧センサの動作を停止する又は前記気圧センサから出力される信号を無効とする処理を行う制御部を備えたことを特徴とする請求項６に記載の無線機。
【請求項８】
押下されているときに音声を送信するＰＴＴをさらに備え、前記ＰＴＴが押下された場合に、前記気圧センサの動作を停止する又は前記気圧センサから出力される信号を無効とする処理を行う制御部を備えたことを特徴とする請求項６に記載の無線機。
【発明の詳細な説明】
【技術分野】
【０００１】
本発明は、センサを内蔵した無線機に関する。
【背景技術】
【０００２】
従来、携帯して使用可能な無線機が知られている。この携帯用無線機に、例えば気圧センサのようなセンサを内蔵するケースが存在する。
【０００３】
図７は、気圧センサを内蔵した従来型の無線機２００の外観図である。
図７に示すように、従来型の無線機２００は、アンテナＡＮＴと、表示部２と、操作部３と、ＰＴＴ（Push To Talk）９を備える。また、従来型の無線機２００は、スピーカ４と、マイク５と、気圧センサ６と、を筐体内部に内蔵し、スピーカ４から受信音を出力するためのスピーカ用孔４１と、マイク５に音声を伝えるためのマイク用孔５１と、気圧センサ６を外気に触れさせるためのセンサ用孔６１と、を筐体外部に備える。
また、ＰＴＴ９は側面に設けられたスイッチであり、押すことにより無線機２００は送信状態となる。
【０００４】
このように、気圧センサを内蔵した従来型の無線機の場合、気圧センサを外気と触れさせるため、筐体の任意の位置に孔（センサ用孔６１）を開ける必要がある。
筐体の任意の位置に孔を開けた装置として、例えば特許文献１には、スピーカの内周側に挿通する排気孔を形成し、この排気孔を介してスピーカ内の排気を行うことで、振動時の気圧変化によるスピーカのストレスを低減させる技術が開示されている。
【先行技術文献】
【特許文献】
【０００５】
【特許文献１】特開２００７−２２８３０３号公報
【発明の概要】
【発明が解決しようとする課題】
【０００６】
一般に、携帯用無線機は、屋外で使用することが多く、防水性能の向上が求められる。そのため、パッキンなどを使用した防水構造が必要であるが、センサ用の孔を開けることで構造が複雑化してしまう。
また、携帯用無線機は、通常手で持って使用することが多いが、利用者によって持ち方が一様ではない。そのため、気圧センサを外気と触れさせるためにわざわざ設けた孔を、装置を持つ手によって塞いでしまう虞がある。
また、センサ用孔が手で覆われないように、ツマミなどの複雑な形状の部分に孔を設けるようにすると、防水構造がより複雑になったり、或いは防水性能自体を満たさなくなったりしてしまう。
【０００７】
本発明は、センサを内蔵した無線機において、簡易に防水構造を構成することが可能な無線機を提供することを目的とする。
【課題を解決するための手段】
【０００８】
請求項１に記載の発明は、上記目的を達成するためになされたものであり、無線機において、筐体と、前記筐体に形成された集音用の透孔と、前記筐体内に収納された集音マイクと、前記集音マイクに隣接して前記筐体内に収納されたセンサと、前記筐体に前記透孔を封鎖するように配された防水シートと、前記集音マイク及び前記センサと前記防水シートとの間に位置し、空洞部が形成されたパッキングと、を備えることを特徴とする。
【０００９】
請求項２に記載の発明は、請求項１に記載の無線機において、前記パッキングの空洞部は、前記集音マイク及び前記センサの双方に跨って連通する空洞であることを特徴とする。
【００１０】
請求項３に記載の発明は、請求項１に記載の無線機において、前記パッキングの空洞部には前記集音マイクと前記センサのそれぞれに対応し独立した空洞が形成され、前記筐体の前記防水シート側には前記センサ側の独立した空洞に対応する位置に透孔と連通している凹部が形成されていることを特徴とする。
【００１１】
請求項４に記載の発明は、請求項１に記載の無線機において、前記パッキングの空洞部には前記集音マイクと前記センサのそれぞれに対応し独立した空洞が形成され、前記独立した空洞同士は通気孔により互いに連通されていることを特徴とする。
【００１２】
請求項５に記載の発明は、請求項１に記載の無線機において、前記パッキングの空洞部には前記集音マイクと前記センサのそれぞれに対応し独立した空洞が形成され、前記筐体には前記パッキングの各独立した空洞に対応する位置に凹部が形成され、前記凹部同士は通気孔により互いに連通されていることを特徴とする。
【００１３】
請求項６に記載の発明は、請求項１から５のいずれか一項に記載の無線機において、前記センサは、外気圧の変化を検出する気圧センサであることを特徴とする。
【００１４】
請求項７に記載の発明は、請求項６に記載の無線機において、前記集音マイクが前記音声を検出した場合に、前記気圧センサの動作を停止する又は前記気圧センサから出力される信号を無効とする処理を行う制御部を備えたことを特徴とする。
【００１５】
請求項８に記載の発明は、請求項６に記載の無線機において、押下されているときに音声を送信するＰＴＴをさらに備え、前記ＰＴＴが押下された場合に、前記気圧センサの動作を停止する又は前記気圧センサから出力される信号を無効とする処理を行う制御部を備えたことを特徴とする。
【発明の効果】
【００１６】
本発明によれば、センサを内蔵した無線機において、簡易に防水構造を構成することが可能な無線機を提供することができる。
【図面の簡単な説明】
【００１７】
【図１】本実施形態に係る無線機１００の概略構成を示すブロック図である。
【図２】本実施形態に係る無線機１００の外観図である。
【図３】本発明に係る第１実施形態を示す断面図である。
【図４】本発明に係る第２実施形態を示す断面図である。
【図５】本発明に係る第３実施形態を示す断面図である。
【図６】本発明に係る第４実施形態を示す断面図である。
【図７】気圧センサを内蔵した従来型の無線機２００の外観図である。
【発明を実施するための形態】
【００１８】
以下、本発明の実施の形態を図面に基づいて説明する。
【００１９】
図１は、本実施形態に係る無線機１００の概略構成を示すブロック図である。なお、本実施形態に係る無線機１００は、送信側、受信側で特に構成的な差異はない。
図１に示すように、無線機１００は、通信部１と、表示部２と、操作部３と、スピーカ４と、マイク５と、気圧センサ６と、信号処理部７と、制御部８と、ＰＴＴ９と、を備えて構成される。
【００２０】
通信部１は、受信部１１と、送信部１２と、を備えて構成される。
受信部１１は、アンテナＡＮＴを介して他の無線機から送信された電波を受信し、受信した電波に対して復調処理等を施した後、制御部８へと復調した音声信号等を出力する。
送信部１２は、制御部８から出力された音声信号等に対して変調処理等を施した後、アンテナＡＮＴを介して当該変調された電波を送信する。
【００２１】
表示部２は、例えば、液晶や有機ＥＬ（Electro Luminescence）等のディスプレイを備え、制御部８から出力された表示データに基づいて、各種情報（ヘルプ表示用のガイド情報等）を表示する。
操作部３は、例えば、電源キー、数字キー等の複数のキーを備える。ユーザによって操作部３の何れかのキーが押下されると、押下されたキーに対応した要求を示す操作信号が制御部８へと出力され、制御部８において所定の処理が実行される。
【００２２】
スピーカ４は、制御部８から出力された音声信号（例えば、受信電波に含まれる音声信号）を増幅して、これに基づく音声を出力する。
マイク５は、ユーザから発せられた音声を音声信号に変換して制御部８へと出力する。
【００２３】
気圧センサ６は、ビルや山などを移動する際の高低差を求めるために気圧を検出するセンサである。気圧センサ６は、検出した気圧を表す信号を制御部８へと出力する。
【００２４】
信号処理部７は、制御部８から出力される制御信号に基づいて各種設定を行う。設定の内容は、例えば制御部８によりヘルプ表示の制御信号が送信されてきた場合に表示部２にヘルプ表示を行わせるための設定、或いはヘルプ表示解除の制御信号が送信されてきた場合に表示部２のヘルプ表示を解除させるための設定等である。
【００２５】
制御部８は、例えば、ＣＰＵ（Central Processing Unit）８１、ＲＡＭ（Random Access Memory）８２、ＲＯＭ（Read Only Memory）８３等を備えて構成され、無線機１００の各部を制御する。
ＣＰＵ８１は、ＲＯＭ８３に格納された処理プログラム等を読み出し、その処理プログラムをＲＡＭ８２に展開して実行することにより、無線機１００全体の制御を行う。
ＲＡＭ８２は、ＣＰＵ８１により実行された処理プログラム等を、ＲＡＭ８２内のプログラム格納領域に展開するとともに、入力データや上記処理プログラムが実行される際に生じる処理結果等をデータ格納領域に格納する。
ＲＯＭ８３は、例えば、半導体メモリ等で構成され、処理プログラムやデータ等が予め記憶されている。
【００２６】
ＰＴＴ９は、押下されているときに音声を送信する送信ボタンであり、ユーザから送信開始の指示操作を受け付けると、送信開始の指示信号を制御部８に出力する。具体的には、ユーザによりＰＴＴ９が押下された状態で、マイク５に入力音声が入力されると、マイク５は、当該入力された入力音声に応じた音声（音声信号）を制御部８に供給する。
なお、ＰＴＴ９が押下された状態で、マイク５に入力音声が入力された場合、制御部８の制御により、気圧センサ６による気圧の測定機能を停止する。これは、ＰＴＴ９を利用して通話が行われている場合、気圧センサ６に対して音声や息による圧力がかかり、正常な測定を行うことができないための処置である。ＰＴＴ９が押下された状態でマイク５に入力音声が入力されたことを検出する方法としては、マイク５が音声を検出したこと又はＰＴＴ９が押下されたことを制御部８が認識することが考えられる。
【００２７】
このように、マイク５により音声が検出された場合、又はＰＴＴ９が押下された場合に、気圧センサ６の動作を停止する又は気圧センサ６から送信される信号を無効とする処理を行う制御部８を備える。これにより、通話中の音声や息による圧力で気圧測定に誤動作が生じることを防止することができる。
【００２８】
図２は、本実施形態に係る無線機１００の外観図である。
図２に示すように、無線機１００は、アンテナＡＮＴと、表示部２と、操作部３と、ＰＴＴ９と、を備えて構成される。無線機１００は、従来型の無線機２００同様、スピーカ４と、マイク５と、気圧センサ６と、を筐体内部に内蔵し、スピーカ４から受信音を出力するためのスピーカ用孔４１と、マイク５に音声を届けるためのマイク用孔５１を筐体外部に備えるが、従来型の無線機２００とは異なり、気圧センサ６を外気に触れさせるためのセンサ用孔を個別には設けず、マイク用孔５１をセンサ用孔として兼用する。なお、本実施形態では、Ｓの位置がセンサ用孔に当たり、当該位置付近に気圧センサ６が配置されている旨の表示を行う。当該Ｓの部分の断面図を図３〜図６に示す。
【００２９】
（第１実施形態）
図３は、本発明に係る第１実施形態を示す断面図である。
図３に示すように、無線機１００の筐体Ｘには集音マイク（マイク５）の集音用の透孔（マイク用孔５１）が設けられている。このマイク用孔５１に面して筐体Ｘ内にマイク５が収納されている。また、マイク５に隣接して筐体Ｘ内にセンサ（気圧センサ６）が収納されている。
【００３０】
無線機１００の筐体Ｘにはマイク用孔５１を封鎖するように防水シート５２が配されている。この防水シート５２は、例えばゴアテックスやミクロテックス（いずれも商標名）といった防水透湿性素材で作られた防水シートである。防水シート５２は、防水性とともに通気性を有するため、マイク用孔５１から進入した水様成分が筐体Ｘ内部に漏れることを防止する働きをなすとともに、外気や音響振動を透過させる。
【００３１】
マイク５及び気圧センサ６と防水シート５２との間にはパッキング（防水パッキング５３）が介在されている。この防水パッキング５３には、マイク用孔５１及び防水シート５２を通じて伝達される音響振動をマイク５に伝達し、かつ外気を気圧センサ６に伝達する空洞部ｈ１が形成されている。パッキングの空洞部ｈ１は、マイク５及び気圧センサ６の双方に跨って連通する空洞である。
防水パッキング５３は、例えばシリコン樹脂等の弾性素材によって構成され、防水シート５２とともに、マイク５及び気圧センサ６を濡らすことを防止する働きをなすものである。また、防水パッキング５３は、筐体Ｘからの振動や衝撃等を吸収することで、マイク５に余計な雑音を集音させない役割を担っている。
プリント板５４は、集積回路、抵抗器、コンデンサー等の多数の電子部品を表面に固定し、その部品間を配線で接続することで電子回路を構成する板状又はフィルム状の部品であり、マイク５及び気圧センサ６を固定的に配置している。
【００３２】
第１実施形態に係る無線機１００においては、マイク用孔５１から筐体Ｘ内に進入しようとする水分を防水シート５２にて遮断する。また、万が一防水シート５２を水分が透過した場合を想定して、防水パッキング５３による二重の防水機能を設けている。一方、マイク用孔５１を封鎖するように配された防水シート５２は通気性を有し、かつ防水パッキング５３においてマイク５及び気圧センサ６との間に空洞部ｈ１を形成しているため、マイク５による音声の集音、及び気圧センサ６による気圧の測定を正常に行うことを可能としている。
【００３３】
このように、本実施形態に係る無線機１００は、筐体（筐体Ｘ）と、筐体に形成された集音用の透孔（マイク用孔５１）と、筐体内に収納された集音マイク（マイク５）と、集音マイクに隣接して筐体内に収納されたセンサ（気圧センサ６）と、筐体に透孔を封鎖するように配された防水シート（防水シート５２）と、集音マイク及びセンサと防水シートとの間に位置し、集音用の透孔及び防水シートを通じて伝達される音響振動を集音マイクに伝達し、かつ外気をセンサに伝達する空洞部が形成されたパッキング（防水パッキング５３）と、を備える。
【００３４】
すなわち、元々構造的に孔が開いていたマイク用の孔を利用するため、新たにセンサ用の孔を開けることなく簡易に防水構造を構成することができ、防水性能の向上を図ることができる。また、利用者は、一般にマイク用孔に向かって通話するため、マイク用孔付近を手で持つことはなく、気圧センサ用の孔を手で塞ぐ虞はなくなる。
また、マイク用孔と気圧センサ用孔を同じにすることで、音圧による気圧測定の誤差を少なくすることができる。
【００３５】
（第２実施形態）
図４は、本発明に係る第２実施形態を示す断面図である。なお、図４において、図３と同様の構成については同一の符号を付し、その説明は省略する。
図４に示すように、第２実施形態に係る無線機１００は、マイク５と気圧センサ６の高さが異なる場合の構成について説明したものである。
【００３６】
第２実施形態に係る無線機１００は、防水パッキング５３の空洞部にマイク５と気圧センサ６のそれぞれに対応した独立の空洞ｈ２、ｈ３が形成されている。また、マイク５及び気圧センサ６に通気させるため、マイク用孔５１には気圧センサ６側の独立空洞ｈ３に対応する位置に空洞ｈ４が形成されている。さらに、上記した空洞ｈ４内に支柱Ｔを設けている。この支柱は防水パッキング５３のうち空洞ｈ２、ｈ３により分断された部分を支えるためのものである。ただし、マイク用孔５１と空洞ｈ４との間を完全に塞いでしまうと気圧センサ６に空気が行き届かなくなるため、マイク用孔５１と空洞ｈ４との間を分断しないように空洞を確保している。
【００３７】
このように、第２実施形態に係る無線機１００において、パッキングの空洞部には集音マイクとセンサのそれぞれに対応し独立した空洞が形成され、筐体の防水シート側にはセンサ側の独立した空洞に対応する位置に透孔と連通している凹部が形成されている。
これにより、マイクと気圧センサの高さが異なる場合であっても、容易に防水構造を構成することが可能となる。
【００３８】
（第３実施形態）
図５は、本発明に係る第３実施形態を示す断面図である。なお、図５において、図３及び図４と同様の構成については同一の符号を付し、その説明は省略する。
図５に示すように、第３実施形態に係る無線機１００は、マイク５と気圧センサ６の高さが異なる場合の構成について説明したものであり、同様の構成について示した図４の変形例である。
【００３９】
第３実施形態に係る無線機１００は、第２実施形態に係る無線機１００同様、防水パッキング５３の空洞部にマイク５と気圧センサ６のそれぞれに対応した独立の空洞ｈ２、ｈ３が形成されている。また、第２実施形態では、マイク用孔５１において気圧センサ６側の独立空洞ｈ３に対応する位置に空洞ｈ４を形成したが、本実施形態では、当該独立の空洞ｈ２、ｈ３同士を通気孔ｈ５により互いに連通させるようにし、防水構造をより簡易なものにしている。なお、通気孔ｈ５は、防水パッキング５３を金型で製作することを考慮すると、空洞ｈ２、ｈ３同士の内壁を連通する孔を形成することは容易ではないため、図５に示すように溝状であることが好ましい。
【００４０】
このように、第３実施形態に係る無線機１００において、パッキングの空洞部には集音マイクとセンサのそれぞれに対応し独立した空洞が形成され、独立した空洞同士は通気孔により互いに連通されている。
これにより、容易に防水構造を構成することが可能となる。
【００４１】
（第４実施形態）
図６は、本発明に係る第４実施形態を示す断面図である。なお、図６において、図３〜図５と同様の構成については同一の符号を付し、その説明は省略する。
図６に示すように、第４実施形態に係る無線機１００は、マイク５と気圧センサ６の高さが異なる場合の構成について説明したものであり、同様の構成について示した図４及び図５の変形例である。
【００４２】
第４実施形態に係る無線機１００は、第２実施形態及び第３実施形態に係る無線機１００同様、防水パッキング５３の空洞部にマイク５と気圧センサ６のそれぞれに対応した独立の空洞ｈ２、ｈ３が形成されている。一方、第２実施形態及び第３実施形態に係る無線機１００と異なり、マイク用孔５１には防水パッキング５３の各独立の空洞ｈ２、ｈ３に対応する位置に空洞ｈ４、ｈ６が形成されている。このような構成をとることで、使用する防水シート５２の面積を小さくすることができる。また、空洞ｈ４、ｈ６同士は通気孔ｈ７により互いに連通されている。従って、気圧センサ６への通気性を確保することができる。
【００４３】
このように、第４実施形態に係る無線機１００において、パッキングの空洞部には集音マイクとセンサのそれぞれに対応し独立した空洞が形成され、筐体にはパッキングの各独立した空洞に対応する位置に凹部が形成され、凹部同士は通気孔により互いに連通されている。
これにより、使用する防水シートの面積を小さくすることができ、コストの削減を図ることが可能となる。
【００４４】
以上、本発明に係る実施形態に基づいて具体的に説明したが、本発明は上記実施形態に限定されるものではなく、その要旨を逸脱しない範囲で変更可能である。
【００４５】
例えば、上記実施形態では、無線機１００に内蔵するセンサとして気圧センサ６を例示して本発明を適用しているが、例えば図７に示すように、湿度センサ９に適用するようにしてもよい。また、ガスセンサや温度センサなどの外気に触れることを要するセンサであれば、気圧センサ６の代わりに本発明を適用することが可能である。
【００４６】
また、第４実施形態に係る無線機１００の通気孔ｈ７は、空洞状ではなく溝状であってもよい。
【００４７】
その他、無線機１００を構成する各装置の細部構成及び細部動作に関しても、本発明の趣旨を逸脱することのない範囲で適宜変更可能である。
【符号の説明】
【００４８】
１００  無線機
１  通信部
１１  受信部
１２  送信部
２  表示部
３  操作部
４  スピーカ
５  マイク
６  気圧センサ
７  信号処理部
８  制御部
８１  ＣＰＵ
８２  ＲＡＭ
８３  ＲＯＭ
９  ＰＴＴ
【図１】
2011114510.tif 000003
【図２】
2011114510.tif 000004
【図３】
2011114510.tif 000005
【図４】
2011114510.tif 000006
【図５】
2011114510.tif 000007
【図６】
2011114510.tif 000008
【図７】
2011114510.tif 000009